(57)【要約】【課題】受け付けた呼に画像データが含まれている場合に、その呼が接続された電話機と対応した移動端末装置に対して画像データを送信して表示させることを可能とする。【解決手段】制御部３０は、電話回線通信部２４により呼を受付けると、電話機１２を呼出す。呼接続部３１は、電話機１２がオフフック状態となったことを検出すると、受付けた呼を電話機１２に接続する。そして、制御部３０は、受付けた呼に画像データが含まれている場合に、呼による呼出しに応じてオフフック状態となったことが検出された電話機１２から予め設定された範囲内に配置された移動端末装置１４へ呼に含まれている画像データをＷｉＧｉｇ無線通信により送信するよう制御する。【選択図】図３
2019057898.tif 000002
【特許請求の範囲】
【請求項１】
呼を受付けた場合、受付けた呼を電話機に接続する呼接続手段と、
受付けた呼に画像データが含まれている場合、当該呼による呼出しに応じてオフフック状態となったことが検出された電話機から予め設定された範囲内に配置された移動端末装置に、前記呼に含まれている画像データが無線通信回線を介して送信されるよう制御する制御手段と、
を備えた通話制御装置。
【請求項２】
前記制御手段は、前記呼による呼出しに応じてオフフック状態となったことが検出された電話機に対して、放射角度が当該電話機の方向に対して±１５°以下の範囲内で通信可能なように配置された移動端末装置に、前記呼に含まれている画像データが無線通信回線を介して送信されるよう制御する請求項１記載の通話制御装置。
【請求項３】
前記制御手段は、ＩＥＥＥ８０２．１１ａｄで規格されたＷｉＧｉｇにより、前記呼に含まれている画像データが送信されるよう制御する請求項２に記載の通話制御装置。
【請求項４】
前記制御手段は、前記呼による呼出しに応じてオフフック状態となったことが検出された電話機から予め設定された範囲外に配置された移動端末装置には、前記呼に含まれている画像データが送信されないよう制御する請求項１から３のいずれか記載の通話制御装置。
【請求項５】
前記制御手段は、前記移動端末装置において前記呼に含まれている画像データを受信する操作がなされない場合でも、当該移動端末装置に前記呼に含まれている画像データが無線通信回線を介して送信されるよう制御する請求項１から３のいずれか記載の通話制御装置。
【請求項６】
前記制御手段は、前記移動端末装置において前記呼に含まれている画像データを受信する操作がなされた場合に、当該移動端末装置に前記呼に含まれている画像データが無線通信回線を介して送信されるよう制御する請求項１から３のいずれか記載の通話制御装置。
【請求項７】
前記制御手段は、前記移動端末装置において前記呼に含まれている画像データを記録するか否かを選択可能に表示するように制御する請求項１から３のいずれか記載の通話制御装置。
【請求項８】
前記制御手段は、前記電話機および前記移動端末装置の表示画面上に、発呼者が同じであることを確認可能な情報を表示するように制御する請求項１から７のいずれか記載の通話制御装置。
【請求項９】
発呼者が同じであることを確認可能な情報は、発呼者の電話番号情報である請求項８記載の通話制御装置。
【請求項１０】
前記制御手段は、前記移動端末装置の表示画面を分割した複数の領域に、それぞれ異なる画像データを表示するよう制御する請求項１から９のいずれか記載の通話制御装置。
【請求項１１】
前記制御手段は、前記移動端末装置において、他の移動端末装置に前記呼に含まれている画像データを送信するような指示を受付けた場合に、当該画像データが指定された移動端末装置に送信されるよう制御する請求項１から３のいずれか記載の通話制御装置。
【請求項１２】
前記制御手段は、前記画像データの送信先として指定された移動端末装置と、前記画像データの送信を指定した移動端末装置との両方に前記画像データが送信されるよう制御する請求項１１記載の通話制御装置。
【請求項１３】
前記制御手段は、前記画像データの送信先として指定された移動端末装置と、前記画像データの送信を指定した移動端末装置との両方に、それぞれ異なる画像データが送信されるよう制御する請求項１１記載の通話制御装置。
【請求項１４】
前記制御手段は、前記画像データの送信先として指定された移動端末装置と、前記画像データの送信を指定した移動端末装置との両方に、同じ画像データが送信されるよう制御する請求項１１記載の通話制御装置。
【請求項１５】
前記制御手段は、前記画像データの送信先として指定された移動端末装置に送信され、前記画像データの送信を指定した移動端末装置への送信が停止されるよう制御する請求項１１記載の通話制御装置。
【請求項１６】
無線通信を行うためのアンテナと、前記アンテナの向きを変更する変更手段と、を備える送信手段をさらに備え、
前記制御手段は、前記変更手段により前記呼による呼出しに応じてオフフック状態となったことが検出された電話機の方向を特定し、特定した方向に前記アンテナが向くように前記変更手段を制御し、前記アンテナの向きを変更することにより、前記電話機から予め設定された範囲内に配置された移動端末装置に、前記呼に含まれている画像データが送信されるように前記送信手段を制御する請求項１から３のいずれか記載の通話制御装置。
【請求項１７】
電話機と、
外部端末装置から受付けた呼を前記電話機に接続する呼接続手段と、受付けた呼に画像データが含まれている場合、当該呼による呼出しに応じてオフフック状態となったことが検出された電話機から予め設定された範囲内にのみ到達可能なよう、前記呼に含まれている画像データが無線通信回線を介して送信されるよう制御する制御手段を備えた通話制御装置と、
前記呼に含まれている画像データを表示する移動端末装置と、
を備えた通話接続システム。
【請求項１８】
呼を受付けた場合、受付けた呼を電話機に接続するステップと、
受付けた呼に画像データが含まれている場合、当該呼による呼出しに応じてオフフック状態となったことが検出された電話機から予め設定された範囲内に配置された移動端末装置に、前記呼に含まれている画像データが無線通信回線を介して送信されるよう制御するステップと、
をコンピュータに実行させるためのプログラム。
【発明の詳細な説明】
【技術分野】
【０００１】
本発明は、通話制御装置、通話接続システムおよびプログラムに関する。
【背景技術】
【０００２】
特許文献１には、医師の電話機から通知された発着信ＩＤおよび診療に必要な健康データの種類を送信する医師側ＴＶ電話用端末と、患者の電話機から通知された発着信ＩＤおよびその発着信ＩＤのうちの一方で特定される患者について収集した健康データを送信する患者側ＴＶ電話用端末と、患者の健康データを保管し、患者の診療に必要な健康データの種類および患者について収集した健康データを受信し、保管されている健康データを更新し、更新された健康データのうち、患者の診療に必要な健康データを双方のＴＶ電話用端末に送信するサーバとを備え、サーバは、双方のＴＶ電話用端末から受信した発着信ＩＤに基づいて、双方のＴＶ電話用端末の接続を確立し、双方のＴＶ電話用端末は、患者の診療に必要かつ使用可能な健康データを表示しつつ、ＴＶ電話シーケンスを開始する遠隔診療支援システムが開示されている。
【先行技術文献】
【特許文献】
【０００３】
【特許文献１】特開２０１３−１１４２７２号公報
【発明の概要】
【発明が解決しようとする課題】
【０００４】
本発明の目的は、受け付けた呼に画像データが含まれている場合に、その呼が接続された電話機と対応した移動端末装置に対して画像データを送信して表示させることが可能な通話制御装置、通話接続システムおよびプログラムを提供することである。
【課題を解決するための手段】
【０００５】
［通話制御装置］
請求項１に係る本発明は、呼を受付けた場合、受付けた呼を電話機に接続する呼接続手段と、
受付けた呼に画像データが含まれている場合、当該呼による呼出しに応じてオフフック状態となったことが検出された電話機から予め設定された範囲内に配置された移動端末装置に、前記呼に含まれている画像データが無線通信回線を介して送信されるよう制御する制御手段と、
を備えた通話制御装置である。
【０００６】
請求項２に係る本発明は、前記制御手段は、前記呼による呼出しに応じてオフフック状態となったことが検出された電話機に対して、放射角度が当該電話機の方向に対して±１５°以下の範囲内で通信可能なように配置された移動端末装置に、前記呼に含まれている画像データが無線通信回線を介して送信されるよう制御する請求項１記載の通話制御装置である。
【０００７】
請求項３に係る本発明は、前記制御手段は、ＩＥＥＥ８０２．１１ａｄで規格されたＷｉＧｉｇにより、前記呼に含まれている画像データが送信されるよう制御する請求項２に記載の通話制御装置である。
【０００８】
請求項４に係る本発明は、前記制御手段は、前記呼による呼出しに応じてオフフック状態となったことが検出された電話機から予め設定された範囲外に配置された移動端末装置には、前記呼に含まれている画像データが送信されないよう制御する請求項１から３のいずれか記載の通話制御装置である。
【０００９】
請求項５に係る本発明は、前記制御手段は、前記移動端末装置において前記呼に含まれている画像データを受信する操作がなされない場合でも、当該移動端末装置に前記呼に含まれている画像データが無線通信回線を介して送信されるよう制御する請求項１から３のいずれか記載の通話制御装置である。
【００１０】
請求項６に係る本発明は、前記制御手段は、前記移動端末装置において前記呼に含まれている画像データを受信する操作がなされた場合に、当該移動端末装置に前記呼に含まれている画像データが無線通信回線を介して送信されるよう制御する請求項１から３のいずれか記載の通話制御装置である。
【００１１】
請求項７に係る本発明は、前記制御手段は、前記移動端末装置において前記呼に含まれている画像データを記録するか否かを選択可能に表示するように制御する請求項１から３のいずれか記載の通話制御装置である。
【００１２】
請求項８に係る本発明は、前記制御手段は、前記電話機および前記移動端末装置の表示画面上に、発呼者が同じであることを確認可能な情報を表示するように制御する請求項１から７のいずれか記載の通話制御装置である。
【００１３】
請求項９に係る本発明は、発呼者が同じであることを確認可能な情報は、発呼者の電話番号情報である請求項８記載の通話制御装置である。
【００１４】
請求項１０に係る本発明は、前記制御手段は、前記移動端末装置の表示画面を分割した複数の領域に、それぞれ異なる画像データを表示するよう制御する請求項１から９のいずれか記載の通話制御装置である。
【００１５】
請求項１１に係る本発明は、前記制御手段は、前記移動端末装置において、他の移動端末装置に前記呼に含まれている画像データを送信するような指示を受付けた場合に、当該画像データが指定された移動端末装置に送信されるよう制御する請求項１から３のいずれか記載の通話制御装置である。
【００１６】
請求項１２に係る本発明は、前記制御手段は、前記画像データの送信先として指定された移動端末装置と、前記画像データの送信を指定した移動端末装置との両方に前記画像データが送信されるよう制御する請求項１１記載の通話制御装置である。
【００１７】
請求項１３に係る本発明は、前記制御手段は、前記画像データの送信先として指定された移動端末装置と、前記画像データの送信を指定した移動端末装置との両方に、それぞれ異なる画像データが送信されるよう制御する請求項１１記載の通話制御装置である。
【００１８】
請求項１４に係る本発明は、前記制御手段は、前記画像データの送信先として指定された移動端末装置と、前記画像データの送信を指定した移動端末装置との両方に、同じ画像データが送信されるよう制御する請求項１１記載の通話制御装置である。
【００１９】
請求項１５に係る本発明は、前記制御手段は、前記画像データの送信先として指定された移動端末装置に送信され、前記画像データの送信を指定した移動端末装置への送信が停止されるよう制御する請求項１１記載の通話制御装置である。
【００２０】
請求項１６に係る本発明は、無線通信を行うためのアンテナと、前記アンテナの向きを変更する変更手段と、を備える送信手段をさらに備え、
前記制御手段は、前記変更手段により前記呼による呼出しに応じてオフフック状態となったことが検出された電話機の方向を特定し、特定した方向に前記アンテナが向くように前記変更手段を制御し、前記アンテナの向きを変更することにより、前記電話機から予め設定された範囲内に配置された移動端末装置に、前記呼に含まれている画像データが送信されるように前記送信手段を制御する請求項１から３のいずれか記載の通話制御装置である。
【００２１】
［通話接続システム］
請求項１７に係る本発明は、電話機と、
外部端末装置から受付けた呼を前記電話機に接続する呼接続手段と、受付けた呼に画像データが含まれている場合、当該呼による呼出しに応じてオフフック状態となったことが検出された電話機から予め設定された範囲内にのみ到達可能なよう、前記呼に含まれている画像データが無線通信回線を介して送信されるよう制御する制御手段を備えた通話制御装置と、
前記呼に含まれている画像データを表示する移動端末装置と、
を備えた通話接続システムである。
【００２２】
［プログラム］
請求項１８に係る本発明は、呼を受付けた場合、受付けた呼を電話機に接続するステップと、
受付けた呼に画像データが含まれている場合、当該呼による呼出しに応じてオフフック状態となったことが検出された電話機から予め設定された範囲内に配置された移動端末装置に、前記呼に含まれている画像データが無線通信回線を介して送信されるよう制御するステップと、
をコンピュータに実行させるためのプログラムである。
【発明の効果】
【００２３】
請求項１に係る本発明によれば、受け付けた呼に画像データが含まれている場合に、その呼が接続された電話機と対応した移動端末装置に対して画像データを送信して表示させることが可能な通話制御装置を提供することができる。
【００２４】
請求項２に係る本発明によれば、受け付けた呼に画像データが含まれている場合に、その呼が接続された電話機に対して、放射角度が当該電話機の方向に対して±１５°の範囲を超えて通信する場合と比較して、指向性の高い電波により画像データを送信することが可能な通話制御装置を提供することができる。
【００２５】
請求項３に係る本発明によれば、ＷｉＧｉｇにより画像データを送信しない場合と比較して、指向性の高い電波により画像データを送信することが可能な通話制御装置を提供することができる。
【００２６】
請求項４に係る本発明によれば、受け付けた呼に画像データが含まれている場合に、その呼が接続された電話機と対応していない移動端末装置への画像データの送信が防止される通話制御装置を提供することができる。
【００２７】
請求項５に係る本発明によれば、移動端末装置において画像データを受信する操作がなされた場合に当該移動端末装置に画像データが送信される場合と比較して、画像データを迅速に送信することが可能な通話制御装置を提供することができる。
【００２８】
請求項６に係る本発明によれば、移動端末装置において画像データを受信する操作がなされない場合でも当該移動端末装置に画像データが送信される場合と比較して、送信先の移動端末装置の状態に応じて画像データを送信することが可能な通話制御装置を提供することができる。
【００２９】
請求項７に係る本発明によれば、呼が接続された電話機から予め設定された範囲外において、記録した画像データを表示させることが可能な通話制御装置を提供することができる。
【００３０】
請求項８に係る本発明によれば、電話機の通話相手と移動端末装置に表示されている画像データの取り違えが防止される通話制御装置を提供することができる。
【００３１】
請求項９に係る本発明によれば、電話機の通話相手と移動端末装置に表示されている画像データの取り違えが防止される通話制御装置を提供することができる。
【００３２】
請求項１０に係る本発明によれば、一表示画面上で複数の情報を表示させることが可能な通話制御装置を提供することができる。
【００３３】
請求項１１に係る本発明によれば、呼が接続された電話機と対応していない移動端末装置に対して、画像データを表示させることが可能な通話制御装置を提供することができる。
【００３４】
請求項１２に係る本発明によれば、呼が接続された電話機と対応した移動端末装置と、送信を指定された移動端末装置の両方に対して、画像データを表示させることが可能な通話制御装置を提供することができる。
【００３５】
請求項１３に係る本発明によれば、呼が接続された電話機と対応した移動端末装置と、送信を指定された移動端末装置に対して、異なる画像データを表示させることが可能な通話制御装置を提供することができる。
【００３６】
請求項１４に係る本発明によれば、呼が接続された電話機と対応した移動端末装置と、送信を指定された移動端末装置に対して、同じ画像データを表示させることが可能な通話制御装置を提供することができる。
【００３７】
請求項１５に係る本発明によれば、呼が接続された電話機と対応していない移動端末装置に対して、画像データを表示させることが可能な通話制御装置を提供することができる。
【００３８】
請求項１６に係る本発明によれば、移動端末装置との間で無線通信を行う際に、通信方向が固定された複数のアンテナを用いて無線通信を行う場合と比較して、少ない数のアンテナにより無線通信を行うことを可能とする通話制御装置を提供することができる。
【００３９】
請求項１７に係る本発明によれば、受け付けた呼に画像データが含まれている場合に、その呼が接続された電話機と対応した移動端末装置に対して画像データを送信して表示させることが可能な通話接続システムを提供することができる。
【００４０】
請求項１８に係る本発明によれば、受け付けた呼に画像データが含まれている場合に、その呼が接続された電話機と対応した移動端末装置に対して画像データを送信して表示させることが可能なプログラムを提供することができる。
【図面の簡単な説明】
【００４１】
【図１】本発明の一実施形態における通話接続システムの一例を示す図である。
【図２】本発明の一実施形態における通話制御装置１０のハードウェア構成を示すブロック図である。
【図３】本発明の一実施形態における通話制御装置１０の制御構成を示すブロック図である。
【図４】本発明の一実施形態における通話接続システムのフローを示す図である。
【図５】本発明の一実施形態における移動端末装置１４に表示される表示画面の一例を示す図である。
【図６】本発明の一実施形態における電話機１２とこの電話機１２に対応する移動端末装置１４に動画データが送信されている際に表示される表示画面の一例を説明する図である。
【図７】本発明の一実施形態におけるＷｉＧｉｇの通信範囲を説明する図である。
【図８】本発明の一実施形態における移動端末装置１４に表示される表示画面の一例を示す図である。
【図９】本発明の一実施形態における移動端末装置１４に表示される表示画面の一例を示す図である。
【図１０】本発明の一実施形態における移動端末装置１４に表示される表示画面の一例を示す図である。
【図１１】本発明の他の実施形態におけるオフフック状態となったことが検出された電話機１２ａに対応する移動端末装置１４ａにアンテナ装置４０を用いて動画データが送信される動作を説明するための図である。
【発明を実施するための形態】
【００４２】
次に、本発明の実施の形態について図面を参照して詳細に説明する。
【００４３】
本発明の一実施形態の通話接続システムは、医療現場である病院等へ患者を救急搬送する際に、救急車等からスマートフォン（以下、スマホと略す。）等の電話機能とビデオカメラ機能を備えた外部端末装置を用いて医師等と電話で話をしながら医師等のスマホ、タブレット端末等の移動端末装置へ患者の症状、医療情報等の医療診断用の画像データとしての動画データを送信するためのものである。
【００４４】
ここで、医療情報とは、患者の心拍数や脈波や心電図波形や呼吸数や酸素飽和度等の計測モニタや、過去の受診歴や、健診結果等の情報であって、医師の医療診断に用いられる情報をいう。
【００４５】
先ず、本発明の一実施形態の通話接続システムの一例を図１に示す。この通話接続システムを備えた病院等の治療施設には、通話制御装置１０と、電話機１２と、電話機１２の予め設定された範囲Ｓ内に設置されたタブレット端末のような移動端末装置１４が備えられている。そして、天井にはアンテナ装置１６が設置されている。通話制御装置１０は、外部端末装置１８からの発呼を基地局１７、電話回線網１９を経由して電話機１２に接続する。また、通話制御装置１０は、アンテナ装置１６を使用して、無線通信により移動端末装置１４との間で無線送受信を行う。
【００４６】
しかし、通話制御装置１０から移動端末装置１４へ動画データを送信する際に従来の無線ＬＡＮ（Local Area Network）を利用すると、送信したい移動端末装置１４に限らず、アンテナ装置の通信範囲内に配置された移動端末装置全てに動画データが送信されてしまい、動画データの取り違えが発生し、医療事故につながる可能性がある。また、従来の無線ＬＡＮを利用して動画データを移動端末装置に送信しようとすると、送信時間が長くなり、迅速な医療診断ができなくなる恐れもあり得る。また、近年ではタブレット端末等の移動可能な各種の移動端末装置が普及している。そのため、このような移動端末装置に医療診断用の動画データを送信して持ち運んだり、他の移動端末装置に転送したりすることにより、それぞれの担当医師が手元で参照することができれば各医師が気になる部位等の確認をそれぞれ行うことが可能となり、結果として診察の時間短縮や診断の精度向上が図られることが期待される。
【００４７】
そこで、本実施形態の通話接続システムでは、アンテナ装置１６にＷｉＧｉｇ（登録商標）と呼ばれるミリ波高速無線通信を利用して電話機１２の予め設定された範囲内にある移動端末装置１４に動画データを送信するようにしている。このＷｉＧｉｇ（Wireless Gigabit）は、ＩＥＥＥ８０２．１１ａｄで規格化された短距離の高速デジタル通信であり、周波数６０ギガヘルツのミリ波の電波を利用し、通信速度は最大７Ｇｂｐｓと高速である。また、電波指向性が強いので、電波指向性の低い従来のＩＥＥＥ８０２．１１規格の無線通信等を用いた場合に比べ、送信を行いたい限られた範囲にだけ送信を行うことが可能となる。また、ＷｉＧｉｇは高速転送が可能であるため、従来のＩＥＥＥ８０２．１１規格の無線通信等に比べ、多くの情報を迅速に送信することができる。
【００４８】
次に、本実施形態の通話制御装置１０のハードウェア構成を図２を参照して説明する。
【００４９】
通話制御装置１０は、図２に示されるように、ＣＰＵ２０、メモリ２１、ハードディスクドライブ（ＨＤＤ）等の記憶装置２２、無線通信を行う無線通信部２３及び電話回線を用いて通信を行う電話回線通信部２４を有する。これらの構成要素は、制御バス２５を介して互いに接続されている。
【００５０】
ＣＰＵ２０は、メモリ２１または記憶装置２２に格納された制御プログラムに基づいて所定の処理を実行して、通話制御装置１０の動作を制御する。なお、本実施形態では、ＣＰＵ２０は、メモリ２１または記憶装置２２内に格納された制御プログラムを読み出して実行するものとして説明したが、当該プログラムをＣＤ−ＲＯＭ等の記憶媒体に格納してＣＰＵ２０に提供することも可能である。
【００５１】
図３は、上記の制御プログラムが実行されることにより実現される通話制御装置１０の機能構成を示すブロック図である。
【００５２】
本実施形態の通話制御装置１０は、図３に示されるように、無線通信部２３と、電話回線通信部２４と、制御部３０と、呼接続部３１と、医療情報格納部３２とを備えている。
【００５３】
無線通信部２３は、アクセスポイントとなるアンテナ装置１６（ＷｉＧｉｇ）を使用して、イーサネット（登録商標）と呼ばれる有線ＬＡＮとＷｉＧｉｇにより移動端末装置１４との間で無線送受信を行って動画データを送信する。
【００５４】
電話回線通信部２４は、電話回線を用いて外部端末装置１８との間で通信を行う。また、電話回線通信部２４は、電話回線を用いて電話機１２との間で通信を行う。
【００５５】
呼接続部３１は、電話機１２がオフフック状態となったことを検出すると、受付けた呼を電話機１２に接続する。
【００５６】
医療情報格納部３２は、過去の受診歴や健診結果等の医療情報データを、識別情報である患者ＩＤと対応付けて格納する。
【００５７】
つまり、制御部３０は、電話回線通信部２４により外部端末装置１８から呼を受付けると、電話機１２を呼出す。このとき、電話機１２はオンフック状態であって、受付けた呼は電話機１２に接続されていない。そして、制御部３０が、電話機１２が呼による呼出しに応じてオフフック状態となったことを検出すると、呼接続部３１が受付けた呼を電話機１２に接続し、外部端末装置１８と電話機１２とは通話可能な状態となる。
【００５８】
そして、制御部３０は、受付けた呼に動画データが含まれている場合、呼による呼出しに応じてオフフック状態となったことが検出された電話機１２から予め設定された範囲内に配置された移動端末装置１４を検出する。
【００５９】
そして、制御部３０は、呼に含まれている動画データを、無線通信部２３によりアンテナ装置１６を介して移動端末装置１４へ送信するよう制御する。
【００６０】
また、制御部３０は、患者のＩＤを検索して、医療情報格納部３２に格納された過去の受診歴や健診結果等の医療情報データを移動端末装置１４の表示画面上に表示するよう制御することができる。
【００６１】
次に、本実施形態の通話接続システムにおける動作を図４のフローチャートを参照して詳細に説明する。
【００６２】
先ず、通話制御装置１０は、外部端末装置１８から治療施設の救急用の電話機１２への発呼を受け付けると（Ｓ１０、Ｓ１１）、受け付けた呼を電話機１２へ転送して呼出す（Ｓ１２）。
【００６３】
通話制御装置１０は、呼による呼出しに応じてオフフック状態となったことが検出された電話機１２に呼を接続する（Ｓ１３、Ｓ１４）。これにより、外部端末装置１８と電話機１２とは通話可能な状態となる（Ｓ１５）。
【００６４】
そして、通話制御装置１０は、外部端末装置１８から発呼された呼が動画データを含んでいるか否かを判定する（Ｓ１６）。
【００６５】
そして、通話制御装置１０は、呼が動画データを含んでいると判定した場合には（Ｓ１６においてＹｅｓ）、電話機１２から予め設定された範囲内に設置された移動端末装置１４に、呼に含まれている動画データを無線通信部２３により送信する（Ｓ１７）。
【００６６】
このとき、移動端末装置１４において動画データを受信する操作がなされない場合でも、制御部３０は、移動端末装置１４に呼に含まれている動画データを無線通信部２３によりアンテナ装置１６を介して送信するよう制御する。これにより、電話機１２の使用者が通話をしながら動画データを見ることができ、迅速な医療診断が可能となる。
【００６７】
また、移動端末装置１４において動画データを受信する操作がなされた場合に、この移動端末装置１４に呼に含まれている動画データが送信されるようにしてもよい。
【００６８】
そして、移動端末装置１４が動画データを受信すると（Ｓ１８）、呼が接続された電話機１２の使用者は、例えば図５に示されるような移動端末装置１４に表示される動画データを見ながら電話対応が可能となり、外部端末装置１８から呼を受付けた治療施設側では、患者の症状や計測モニタ等を確認した上で、救急措置を指示したり、患者受け入れの可否判断や受け入れの為の準備をすることができる。また、移動端末装置１４には動画データを受信しながらメモを入力する機能が備えられ、移動端末装置１４の使用者は、通話中に動画データを見ながらメモをとることができる。
【００６９】
また、このとき制御部３０は、電話機１２および移動端末装置１４の表示画面上に、発呼者が同じであることを確認可能な情報を表示するように制御する。つまり、制御部３０は、移動端末装置１４の表示画面上に、図６に示すような電話機１２の通話相手である発呼者（外部端末装置１８）の電話番号を表示する。電話機１２には、ナンバーディスプレイ等の発呼者の電話番号を表示する機能が付いている。つまり、電話機１２の使用者である例えば医師は、この電話機１２に表示される発呼者の電話番号と、移動端末装置１４の表示画面上に表示される電話番号を比べることにより、電話機１２の通話相手と、移動端末装置１４に動画データを送信している相手が一致していることを照合することができ、動画データの取り違えが防止される。電話機１２または通話制御装置１０に宛先表を記憶している場合には、電話番号の代わりに宛先名等を表示させるようにしてもよい。
【００７０】
そして、通話制御装置１０は、外部端末装置１８又は電話機１２の通話終了を検知すると（Ｓ１９）、移動端末装置１４への動画データの送信を終了する。
【００７１】
次に、アンテナ装置１６から電話機１２に対応した移動端末装置１４へ動画データを送信するしくみについて図７を参照して説明する。
【００７２】
図７では、アンテナ装置１６が天井に設置され、天井側から床面側に向かって指向性の高い電波が送信されるようになっている。
【００７３】
この指向性の高いＷｉＧｉｇは、図７に示すように、電波の到達角度は送信方向、本実施形態では、アンテナ装置１６から電話機１２への直進方向に対しておよそ±１５度以下の範囲、すなわち約３０度の範囲Ｓ内（図７に示す円錐状の範囲）に伝達され、また、直進到達距離は約１０ｍとなっている。
【００７４】
通話制御装置１０は、呼による呼出しに応じてオフフック状態となったことが検出された電話機１２に対して、放射角度がアンテナ装置１６から電話機１２の方向に対して±１５度以下の範囲Ｓ内で通信可能なように配置された移動端末装置１４に、呼に含まれている動画データをＷｉＧｉｇにより送信する。
【００７５】
次に、移動端末装置１４に表示される表示画面の変形例を図８〜図１０に基づいて説明する。
【００７６】
通話制御装置１０は、例えば図８に示すように、移動端末装置１４の表示画面において、呼に含まれている動画データを自装置に保存（記録）するか否かを使用者が選択できるように表示する。
【００７７】
つまり、移動端末装置１４は、動画データを自装置に保存する録画機能を備えており、使用者の操作により「保存する」が選択された場合には、呼に含まれている動画データを自装置に保存し、電話機１２から予め設定された範囲Ｓ内から外れた場所においても保存した動画データを表示することが可能となり、移動端末装置１４の受け渡しにより情報の伝達が可能となる。
【００７８】
また、通話制御装置１０は、例えば図９に示すように、移動端末装置１４の表示画面において、呼に含まれている動画データを指定した移動端末装置に送信するように送信先を指定できるように表示する。
【００７９】
つまり、移動端末装置１４において動画データの送信先が指定された場合には、通話制御装置１０は、呼に含まれている動画データを移動端末装置１４において指定された移動端末装置に送信するよう制御する。具体的には、図９に示すように、移動端末装置１４の表示画面において、送信先の移動端末装置としてＡ医師の移動端末装置が指定された場合に、呼に含まれた動画データを移動端末装置１４とＡ医師の移動端末装置との両方に同時に送信するように指定することができる。
【００８０】
また、移動端末装置１４には過去の受診歴を表示し、Ａ医師の移動端末装置には患者の状態と計測モニタを表示する等、それぞれの移動端末装置に異なる動画データを送信して表示するよう制御することができる。
【００８１】
また、通話制御装置１０は、移動端末装置１４において動画データを送信する送信先が指定された場合には、移動端末装置１４への動画データの送信を停止するよう制御することができる。
【００８２】
また、通話制御装置１０は、移動端末装置１４の表示画面を分割した複数の領域に、それぞれ異なる動画データを表示することができる。具体的には、通話制御装置１０は、例えば図１０に示すように、移動端末装置１４の表示画面を２つの領域に分割し、１方の画面には患者の症状を表示し、他方の画面には心拍数等の計測モニタや各種測定器のデータを表示するよう制御することができる。
【００８３】
なお、本発明の一実施形態の通話接続システムは、治療施設内に電話機が複数ある場合であっても同様に適用される。つまり、各電話機の予め設定された範囲内にそれぞれ移動端末装置が設置され、オフフック状態となったことが検出された電話機に対応するアンテナ装置１６を介して移動端末装置に対して動画データが送信され、電話機の使用者は動画データを見ながら電話対応が可能となる。
【００８４】
次に、本発明の他の実施形態について図１１に基づいて説明する。
【００８５】
ＷｉＧｉｇ（Wireless Gigabit）無線通信では、搬送周波数として６０ＧＨｚという高い周波数の電波を用いるため、送信電波の直進性が高く指向性が鋭いため、広範囲の端末装置との通信を行うことができない。そのため、治療施設内の様々な場所に存在する移動端末装置に動画データを転送可能とするためには、数多くのアンテナを設置する必要がある。
【００８６】
そこで、本発明の他の実施形態では、電波の送受信方向を変更することが可能なアンテナ装置４０を天井に設置することにより、少ない数のアンテナ装置により移動端末装置との間での無線通信を可能とする。
【００８７】
アンテナ装置４０は、ＷｉＧｉｇによる無線通信を行うためのアンテナ４２を備え、制御部３０により制御されて、アンテナ４２の向きを変更することができる。
【００８８】
そして、制御部３０は、アンテナ４２の向きを変化させることにより、呼による呼出しに応じてオフフック状態となったことが検出された電話機１２ａの方向を特定し、特定した方向にアンテナ４２が向くよう制御する。そして、放射角度がアンテナ４２から電話機１２の方向に対して±１５度以下の範囲内で通信可能なように配置された移動端末装置１４ａに、呼に含まれている動画データを無線送信部２３によりアンテナ装置１６を介して送信する。
【００８９】
つまり、呼による呼出しに応じてオフフック状態となったことが検出された電話機１２ａから予め設定された範囲外に配置された移動端末装置１４ｂには、呼に含まれている動画データが送信されないこととなる。
【００９０】
[変形例]
上記実施形態では、外部端末装置を用いて病院等の治療施設に電話し、電話の通話に連動して動画データを送信する通話接続システムに対して本発明を適用した場合を用いて説明したが、本発明はこれに限定されるものではない。電話の通話に連動して大容量のデータを移動端末装置に送信するような通話接続システムであれば同様に本発明を適用することができるものである。
【００９１】
また、上記実施形態では、移動端末装置１４に呼に含まれている動画データが送信される構成について説明したが、本発明はこれに限定されるものではなく、画像データとして静止画データが送信される構成にも適用することができるものである。
【００９２】
また、上記実施形態では、外部端末装置１８としてスマホを用いた場合を例にして説明したが、本発明はこれに限定されるものではなく、電話機能を備えた機器とカメラ機能を備えた機器等の複数の機器を用いた場合にも適用することができるものである。
【符号の説明】
【００９３】
１０    通話制御装置
１２    電話機
１４    移動端末装置
１６，４０    アンテナ装置（ＷｉＧｉｇ）
１７    基地局
１８    外部端末装置
１９    電話回線網
２０    ＣＰＵ
２１    メモリ
２２    記憶装置
２３    無線通信部
２４    電話回線通信部
２５    制御バス
３０    制御部
３１    呼接続部
３２    医療情報格納部
【図１】
2019057898.tif 000003
【図２】
2019057898.tif 000004
【図３】
2019057898.tif 000005
【図４】
2019057898.tif 000006
【図５】
2019057898.tif 000007
【図６】
2019057898.tif 000008
【図７】
2019057898.tif 000009
【図８】
2019057898.tif 000010
【図９】
2019057898.tif 000011
【図１０】
2019057898.tif 000012
【図１１】
2019057898.tif 000013